(57)【特許請求の範囲】
【請求項１】
導電性材料にて平面状に形成された一対の第１接点及び第２接点と、
前記第１接点及び前記第２接点を囲う形状の第３接点と、
前記第１接点、前記第２接点、及び前記第３接点の境界に設けられた絶縁部と、
導電性材料にて形成され、前記第１接点、前記第２接点、及び前記第３接点のいずれか２つ又は全てに同時に接触したときに、当該接触した接点間を導通させる導電部材と、
を備え、
前記第１接点、前記第２接点、及びこれら接点の境界に設けられた前記絶縁部を合わせた形状が円形をなし、
前記第１接点及び前記第２接点の境界の一部又は全てが非直線状であり、かつ当該境界が前記円形の中心に対して点対称の形状であることを特徴とするスイッチユニット。
【請求項２】
前記第１接点、前記第２接点、及び前記第３接点と電気的に接続され、前記第１接点と前記第２接点との非導通を検出したとき、又は、前記第１接点及び前記第２接点の少なくとも一方と前記第３接点との導通を検出したときに信号を出力する検出部をさらに備えることを特徴とする請求項１に記載のスイッチユニット。
【請求項３】
前記導電部材は、平面部を有し、この平面部が前記第１接点、前記第２接点、及び前記第３接点のいずれか２つ又は全てに同時に接触したときに、当該接触した接点間を導通させ、
前記導電部材の平面部の面積が、前記第１接点及び前記第２接点のうちいずれか一方の接点と前記第１接点及び前記第２接点の境界に設けられた前記絶縁部とを合わせた面積、及び、当該他方の接点と前記第１接点及び前記第２接点の境界に設けられた前記絶縁部とを合わせた面積の双方より大きく、かつ前記第１接点、前記第２接点、及びこれら接点の境界に設けられた前記絶縁部を合わせた面積よりも小さいことを特徴とする請求項１又は２に記載のスイッチユニット。
【請求項４】
前記第１接点、前記第２接点、及び前記第３接点は、電子機器が備える第１部材又はこれに固定された部材に設けられ、前記導電部材は、前記第１部材に取り付けられる第２部材又はこれに固定された部材に設けられることを特徴とする請求項１乃至３のうちいずれか１に記載のスイッチユニット。
【請求項５】
前記第１接点、前記第２接点、及び前記第３接点の組を複数備え、
前記第１接点、前記第２接点、及び前記第３接点の各組のうちの対応する１つに接触する前記導電部材を複数備え、
前記各組において前記第１接点及び前記第２接点の境界が同一形状であり、かつ前記各組のうちのいずれか１つにおける前記第１接点及び前記第２接点に対してその他の全ての組又は一部の組における前記第１接点及び前記第２接点が所定角度だけ回転して配置されることを特徴とする請求項１乃至４のうちいずれか１に記載のスイッチユニット。
【請求項６】
前記第１接点、前記第２接点、及び前記第３接点の組を複数備え、
前記第１接点、前記第２接点、及び前記第３接点の各組のうちの対応する１つに接触する前記導電部材を複数備え、
前記各組の全て又はその一部同士で前記第１接点及び前記第２接点の境界の形状が異なることを特徴とする請求項１乃至４のうちいずれか１に記載のスイッチユニット。
【発明の詳細な説明】
【技術分野】
【０００１】
本発明の実施形態は、接点間の導通または非導通を検出するスイッチユニット、およびこのスイッチユニットを備える電子機器に関する。
【背景技術】
【０００２】
従来、悪意のある者が各種機器の筐体を開放したり、筐体内部のパーツを盗んだりする行為（タンパ）を検出する機構として、メカニカルなタンパ検出スイッチを含むものが知られている。
【０００３】
上記メカニカルなタンパ検出スイッチとしては、例えば一対の接点と、これら接点に対して離接する導電部材とを有し、機器の筐体が閉じられたときや機器のパーツが正常に取り付けられたときに上記導電部材が上記各接点を導通させるようにしたものがある。このようなタンパ検出スイッチにおいては、上記各接点の導通または非導通を検出することで、筐体の開放やパーツの取り外しが検出可能となる。
【先行技術文献】
【特許文献】
【０００４】
【特許文献１】特開２００３−３３７７５３号公報
【発明の概要】
【発明が解決しようとする課題】
【０００５】
上記のようなタンパ検出スイッチにおいては、機器の筐体やそのタンパ検出スイッチを構成する各部が輸送時等の振動や経時劣化により変形したり、上記導電部材を各接点に付勢する弾性部材の弾性特性が劣化したりして、タンパの検出精度が低下するとの問題がある。
【０００６】
すなわちタンパ検出スイッチが、筐体が開放されたりパーツが取り外されたにも関わらずタンパを検出しない場合や、筐体が閉じられていたりパーツが正常に取り付けられているにも関わらずタンパを検出してしまう場合がある。
【０００７】
このような事情から、上記のようなメカニカルなタンパ検出スイッチを用いる場合において、正確なタンパ検出を可能とするための手段を講じる必要があった。
【課題を解決するための手段】
【０００８】
上記課題を解決するために、一実施形態におけるスイッチユニットは、導電性材料にて平面状に形成された一対の第１接点及び第２接点と、上記第１接点及び上記第２接点を囲う形状の第３接点と、上記第１接点、上記第２接点、及び上記第３接点の境界に設けられた絶縁部と、導電性材料にて形成され、上記第１接点、上記第２接点、及び上記第３接点のいずれか２つ又は全てに同時に接触したときに、当該接触した接点間を導通させる導電部材と、を備えており、上記第１接点、上記第２接点、及びこれら接点の境界に設けられた上記絶縁部を合わせた形状が円形をなし、上記第１接点及び上記第２接点の境界の一部又は全てが非直線状であり、かつ当該境界が上記円形の中心に対して点対称の形状であることを特徴としている。
【図面の簡単な説明】
【０００９】
【図１】第１の実施形態における筐体およびその内部構造を示す模式図。
【図２】図１に示したＰＣＢをカード決済端末の上方から見た模式図。
【図３】図２に示した接点部のＡ−Ａ断面と接触導電部の断面とを示す概略的に示す模式図。
【図４】第１の実施形態における接点部の接触面を示す模式図。
【図５】同実施形態における接点部の接触面を示す模式図。
【図６】同実施形態における接点部の接触面を示す模式図。
【図７】同実施形態における接点部の接触面を示す模式図。
【図８】同実施形態におけるスイッチユニットの回路構成を示すブロック図。
【図９】第２の実施形態における各接点部の配置状態を示す図。
【図１０】同実施形態における各接点部の配置状態を示す図。
【発明を実施するための形態】
【００１０】
以下、いくつかの実施形態について、図面を参照しながら説明する。  
（第１の実施形態）
第１の実施形態においては、クレジットカード等のカードを読み取ってＰＩＮ（Personal Identification Number）情報を入力し、このＰＩＮ情報を用いて商品やサービスの代金をカード決済するカード決済端末を例示する。
【００１１】
図１は、本実施形態におけるカード決済端末の筐体およびその内部構造を示す模式図である。
【００１２】
このカード決済端末１の筐体は、下側筐体２と、上側筐体３とを含んでいる。  
下側筐体２には、絶縁性の樹脂を含浸した基材に銅箔等の導電性材料を焼き付けて回路配線を形成したＰＣＢ（プリント基板）４が、例えば複数点におけるネジ止めによって固定されている。  
このＰＣＢ４には、ＣＰＵ（Central Processing Unit）、ＲＯＭ（Read Only Memory）やＲＡＭ（Random Access Memory）で構成されるメモリ、およびチップセット等の各種オンボードデバイスが実装されている。
【００１３】
また、下側筐体２には、テンキー等の操作キーを有する入力部、ＬＣＤ（Liquid Crystal Display）等の表示部、クレジットカード等のカードからＰＩＮ情報を読み取るためのカードリーダ、外部と通信するための通信部およびカード決済端末１の各部に動作電源を供給する電源回路等のデバイスが取り付けられている。
【００１４】
上記メモリには、商品やサービスの代金をカード決済するためのプログラム、上記カードリーダによって読み取られたＰＩＮ情報、およびこのＰＩＮ情報を暗号化するための暗号鍵等が記憶されている。上記ＣＰＵは、このメモリに記憶されたプログラムを実行してカード決済処理を実行する。
【００１５】
上側筐体３は、上記入力部や表示部等の形状に対応する複数の開口部を有している。この上側筐体３を下側筐体２に取り付けると、上記複数の開口部から上記入力部が有する操作キーのキートップや上記表示部の表示画面等が露出する。上側筐体３は、例えば複数点におけるネジ止めや、各筐体２，３のいずれか一方に設けられた凸部と他方に設けられた凹部とを嵌め合わせることによって、下側筐体２に対して取り付けられる。
【００１６】
図２は、図１に示したＰＣＢ４をカード決済端末１の上方から見た模式図である。なお、ＰＣＢ４に実装される各種オンボードデバイスは、図示を省略している。本実施形態におけるＰＣＢ４は矩形形状であり、その４隅にタンパ検出スイッチの接点部１０が設けられている。
【００１７】
また、図１に示したように、各接点部１０に対応するそれぞれの位置には接触導電部２０が取り付けられている。これら接触導電部２０は、上側筐体３に固定されている。
【００１８】
図３は、図２に示した接点部１０のＡ−Ａ断面と、この接点部１０に対応する位置に設けられた接触導電部２０の断面とを概略的に示す模式図である。接触導電部２０は、例えば円筒状に成形された絶縁性のゴムである弾性部材２１と、この弾性部材２１の先端に取り付けられ、各種金属等の導電性材料で形成された導電部材２２とを有している。上側筐体３と弾性部材２１、および弾性部材２１と導電部材２２とは、例えば接着剤によって固着されている。  
導電部材２２における弾性部材２１との固着面の反対側の面は、直径がＲ１の円形平面となっている。以下この平面を平面部２２ａと称す。
【００１９】
上側筐体３を下側筐体２に対して正常に取り付けると、各接触導電部２０の導電部材２２の平面部２２ａがそれぞれ対応する接点部１０に接触する。
【００２０】
ここで、各接点部１０につき、図４〜図７を用いて説明する。図４〜図７は、接点部１０の接触導電部２０との接触面を示す模式図である。
【００２１】
各図に示すように、接点部１０は、第１接点１１、第２接点１２、第３接点１３、および絶縁層１４によって構成されている。  
各接点１１〜１３は、ＰＣＢ４上に銅箔等の導電性材料を焼き付けたものである。すなわち、各接点１１〜１３の表面は平面であり、また、それぞれの表面はいずれも同一面上に位置する。
【００２２】
絶縁層１４は、ＰＣＢ４上に導電体が焼き付けられていない部分であり、各接点１１〜１３の境界に介在する。
【００２３】
第１接点１１、第２接点１２、およびこれら接点１１，１２の境界に介在する絶縁層１４は、直径がＲ２の円形状を成す。図４〜図７に示したＰ点は、この円形状の中心を示している。第３接点１３は、上記Ｐ点を中心とし、第１接点１１および第２接点１２を囲うリング状を成す。
【００２４】
筐体３，４が閉じられた際には、各接触導電部２０が有する導電部材２２の平面部２２ａの中心が、それぞれ対応する接点部１０の中心である点Ｐと接触する。換言すれば、このように接触するように、各接点部１０およびそれらに対応する接触導電部２０の位置が調整されている。また、筐体３，４が閉じられ、上記のように各接点部１０とそれらに対応する接触導電部２０とが接触すると、各接触導電部２０の導電部材２２が弾性部材２１によって接点部１０の方向に付勢される。これにより、各導電部材２２と各接点部１０とが密着する。
【００２５】
図４〜図７の各例に示す接点部１０および接触導電部２０は、少なくとも以下の条件を満たすように設計されている。  
（１）第１接点１１および第２接点１２の境界の一部または全てを、絶縁層１４を挟んで第１接点１１および第２接点１２が互いに相補する非直線状とする。  
（２）第１接点１１および第２接点１２の境界を、点Ｐに対して点対称の形状とする。  
（３）第１接点１１および第２接点１２の面積を略同一とする。  
（４）導電部材２２の平面部２２ａの面積を、第１接点１１と各接点１１，１２の境界に介在する絶縁層１４とを合わせた面積、および、第２接点１２と各接点１１，１２の境界に介在する絶縁層１４とを合わせた面積の双方より大きく、かつ第１接点１１、第２接点１２およびこれら接点１１，１２の境界に介在する絶縁層１４を合わせた面積よりも小さくする。
【００２６】
なお、図４の例では、第１接点１１の一部を特定方向に向けて山部分と谷部分が交互に繰り返す波形状に蛇行させ、この波形状を補うように第２接点１２の一部を蛇行させている。
【００２７】
図５の例では、第１接点１１の一部を点Ｐに向けて反時計回りに渦を巻く形状とし、この形状を補うように第２接点１２の一部を点Ｐに向けて反時計回りに渦を巻く形状としている。
【００２８】
図６の例では、第１接点１１の一部を図４の例と同じく特定方向に向けて山部分と谷部分が交互に繰り返す波形状に蛇行させ、さらにこの波形状を種々の方向に向けて蛇行させ、この波形状を補うように第２接点１２の一部を蛇行させている。
【００２９】
図７の例では、第１接点１１の一部を、点Ｐを中心とした放射状に山部分および谷部分が交互に繰り返すよう蛇行させ、この形状を補うように第２接点１２の一部を蛇行させている。
【００３０】
図４〜図７に示した各例のいずれにおいても、第１接点１１および第２接点１２は、その面積だけでなく形状も同一である。また、図４、図６、および図７の例における各接点１１，１２の山部分および谷部分の先端や、図５の例における各接点１１，１２の渦の先端等の曲率は、導電部材２２の平面部２２ａの直径Ｒ１よりも十分小さくしてある。
【００３１】
以上説明した各例における形状であれば、第１接点１１と第２接点１２がＰ点を中心とした直径Ｒ２の円内で適度に分散する。  
ＰＣＢ４に設けられた各接点部１０は、図４〜図７に例示した形状のいずれか１つ、または、上記各条件を満たす他の形状で統一されている。
【００３２】
次に、タンパ検出スイッチを含むスイッチユニットの制御回路について説明する。  
図８は、スイッチユニットの回路構成を示すブロック図である。  
図示した回路は、カード決済端末１に設けられたいずれか１つのタンパ検出スイッチを含むものであり、そのタンパ検出スイッチの各接点１１〜１３および導電部材２２、検出部３１、制御部３２、セキュリティ処理部３３を含んでいる。カード決済端末１に設けられた他のタンパ検出スイッチに関しても、同様の回路構成にて使用される。
【００３３】
検出部３１、制御部３２、およびセキュリティ処理部３３は、例えばＰＣＢ４に実装されたオンボードデバイスによって実現され、カード決済端末１が備えるバッテリからの電源供給を受けて動作する。なお、これら各部３１〜３３は、カード決済端末１が起動されていないときにおいてもその動作を停止しない。
【００３４】
検出部３１は、各接点１１〜１３と電気的に接続されている。導電部材２２が各接点１１〜１３のいずれか２つまたは全てに同時に接触すると、当該接触した接点間が導通する。第１接点１１および第２接点１２が導通しているときと、導通していないときとでは、これら接点１１，１２および検出部３１を含む回路に異なる値の電圧が発生する。また、第１接点１１および第２接点１２のいずれか一方または双方と、第３接点１３とが導通すると、当該導通した接点および検出部３１を含む回路が短絡（ショート）する。この場合においても当該導通した接点および検出部３１を含む回路に、第１接点１１および第２接点１２が導通しているときと異なる値の電圧が発生する。
【００３５】
検出部３１は、このように生じる電圧値の変化に基づき、各接点１１〜１３の導通または非導通を検出する。第１接点１１と第２接点１２との非導通を検出したとき、および、第１接点１１または第２接点１２の少なくとも一方と第３接点１３との導通を検出したとき、検出部３１は、タンパ検出を知らせる信号を制御部３２に出力する。
【００３６】
制御部３２は、検出部３１からタンパ検出を知らせる信号を受信すると、セキュリティ処理部３３に動作信号を出力する。
【００３７】
セキュリティ処理部３３は、制御部３２から動作信号を受信したことに応じて、例えばＰＣＢ４に実装されたメモリのデータを消去するなどの所定の処理を実行する。なお、セキュリティ処理部３３が実行する処理は、カード決済端末１が備えるスピーカからビープ音を発生させる等して警報する処理であってもよい。この場合、例えばカード決済端末１が有するバッテリに蓄えられた電力が尽きるまで、あるいは所定の解除処理が行われるまで警報を継続させてもよいし、所定時間が経過したときに警報を停止させてもよい。
【００３８】
なお、制御部３２やセキュリティ処理部３３は、他のタンパ検出スイッチを含む回路と共用されるものであってもよい。
【００３９】
次に、本実施形態の一作用について説明する。  
カード決済端末１の輸送時等の振動や経時劣化により筐体２，３やタンパ検出スイッチを構成する各部が変形したり、弾性部材２１の弾性特性が劣化したりすると、筐体２，３が正常に閉じられているにも関わらず、導電部材２２が接点部１０に対して傾くことがある。このような場合、平面部２２ａの一部のみが接点部１０に対して接触する、いわゆる片当たりが生じ得る。この片当たりが生じると、接点部１０と平面部２２ａとの接触面積が小さくなり、第１接点１１および第２接点１２間が非導通となる虞がある。
【００４０】
しかしながら、本実施形態における接点部１０は、図４〜図７に例示したように、第１接点１１および第２接点１２を、Ｐ点を中心とした直径Ｒ２の円内で分散させている。このようにすれば、各接点１１，１２の境界を単純な直線形とした場合等に比べて、上記片当たりにより接触面積が小さくなった場合であっても、平面部２２ａが各接点１１，１２の双方と接触し易くなる。
【００４１】
また、第１接点１１および第２接点１２が上記円内で分散したことにより、平面部２２ａが接点部１０に対してどの方向に傾いた場合であっても、片当たりする部分が各接点１１，１２の双方に接触し易くなる。したがって、接点部１０の方向依存性を低下させることができる。なお、ここでの方向依存性は、平面部２２ａが接点部１０に片当たりした場合において、平面部２２ａの傾く向きにより平面部２２ａと各接点１１，１２が接触しない状態となり得る程度を指す。  
上記方向依存性は、図４〜図７に例示したものよりもさらに各接点１１，１２を分散させることで、より低下させることができる。好ましくは、点Ｐを中心とした直径Ｒ２の円内のどの位置に平面部２２ａが接触した場合であっても、平面部２２ａおよび第１接点１１の接触面積と、平面部２２ａおよび第２接点１２の接触面積とが略同一になる程度に各接点１１，１２を分散させる。
【００４２】
また、平面部２２ａの面積を、第１接点１１と各接点１１，１２の境界に介在する絶縁層１４とを合わせた面積、および、第２接点１２と各接点１１，１２の境界に介在する絶縁層１４とを合わせた面積の双方より大きくしている。そのため、平面部２２ａがＰ点を中心とした直径Ｒ２の円内で接点部１０に対して正常に接触している場合には、必ず第１接点１１および第２接点１２の双方に接触する。したがって、平面部２２ａと接点部１０との接触位置が上記円内でずれた場合であっても、各接点１１，１２が非導通となることはない。
【００４３】
（第２の実施形態）
次に、第２の実施形態について説明する。  
本実施形態では、第１の実施形態にて開示した構成において、ＰＣＢ４に設けた各接点部１０をその配置位置によって回転させるか、各接点部１０の形状を異ならせることで、タンパの検出精度をより向上させる。  
第１の実施形態と同一の構成要素には同一の符号を付し、重複説明は必要な場合にのみ行う。
【００４４】
本実施形態におけるカード決済端末１のＰＣＢ４には、図２に示したようにその４隅に接点部１０が設けられている。
【００４５】
この４隅に設けられた各接点部１０を、例えば図９に示すようにその位置に応じて所定角度だけ回転して配置する。  
図９に示す接点部１０ａ，１０ｂ，１０ｃ，１０ｄは、この順で図２のＰＣＢ４の左上、右上、左下、右下に設けられる接点部１０の形状を表している。なお、各接点部１０ａ〜１０ｄは、図４に示したものと同一形状である。但し、各接点部１０ａ〜１０ｄの形状としては、図５〜図７に示した形状や、他の形状を用いてもよい。
【００４６】
接点部１０ａを回転角０度の状態とすると、接点部１０ｂは時計回りに４５度、接点部１０ｃは時計回りに９０度、接点部１０ｄは時計回りに１３５度傾いている。但し、例えば接点部１０ａ，１０ｄを回転角０度の状態とし、接点部１０ｂ，１０ｃを９０度傾ける等、各接点部１０ａ〜１０ｄの一部を他の部分に対して所定角度だけ回転して配置してもよい。
【００４７】
また、各接点部１０ａ〜１０ｄの形状を、例えば図１０に示すように異ならせてもよい。  
図１０に示す例では、接点部１０ａを図４に示した形状とし、接点部１０ｂを図５に示した形状とし、接点部１０ｃを図６に示した形状とし、接点部１０ｄを図７に示した形状としている。但し、各接点部１０ａ〜１０ｄの形状としては、図４〜図７に示したもの以外の形状を用いてもよい。また、例えば接点部１０ａ，１０ｄを図４に示した形状とし、接点部１０ｂ，１０ｃを図５に示した形状とする等、各接点部１０ａ〜１０ｄの一部同士でその形状を異ならせてもよい。
【００４８】
本実施形態の一作用について説明する。  
カード決済端末１の各部に同一形状の接点部１０を同一角度で配置した場合、各タンパ検出スイッチを構成する接点部１０および接触導電部２０の位置関係が特定方向にずれたり回転したりすると、上記片当たり等に起因して全てのスイッチユニットの検出精度が同時に劣化し得る。すなわち、筐体２，３が開放されていないにも関わらず全てのスイッチユニットがタンパを検出したり、筐体２，３が若干開放されたにも関わらず全てのスイッチユニットがタンパを検出しなかったりする虞がある。
【００４９】
このような問題は、主に接点部１０の方向依存性に起因して生じるものであり、特に筐体２，３が開放されたにも関わらず全てのスイッチユニットがタンパを検出しない場合に問題となる。
【００５０】
これに対し、図９，図１０を用いて説明したようにカード決済端末１に設ける各接点部１０をその配置位置によって回転させるか、その形状を異ならせれば、各接点部１０と接触導電部２０の位置関係が同様にずれたとしても、全てのスイッチユニットの検出精度が同時に劣化する事態を防止できる。
【００５１】
なお、第１の実施形態にて説明した条件を満たす接点部１０を用いた場合には、第１の実施形態と同様の効果を奏することはいうまでもない。
【００５２】
（変形例）
上記各実施形態にて開示した構成は、種々変形実施可能である。具体的な変形例としては、例えば次のようなものがある。
【００５３】
上記各実施形態では、電子機器の一例としてカード決済端末１を例示した。しかしながら、カード決済端末１が備えるとしたタンパ検出に関する構成を、パーソナルコンピュータ、サーバ装置、商品やサービスの代金の精算に用いられるＰＯＳ（Point Of Sales）端末あるいはＥＣＲ（Electric Cash Register）、プリンタ等の他の機器に適用してもよい。
【００５４】
上記各実施形態では、ＣＰＵやチップセット等が実装されるＰＣＢ４上に導電性材料を焼き付けて接点部１０の各接点１１〜１３を形成するとした。しかしながら、ＰＣＢ４とは独立して設けられた絶縁性部材に導電性材料を焼き付けて各接点１１〜１３を形成してもよい。また、導電性材料を切削加工したり鋳造したりすることによって各接点１１〜１３を製作し、それらを組み合わせて接点部１０を構成してもよい。この場合には、各接点１１〜１３を離間して配置することで絶縁層１４を実現してもよいし、絶縁性材料にて各接点１１〜１３間を埋めて絶縁層１４を実現してもよい。
【００５５】
上記各実施形態では、下側筐体２に固定されたＰＣＢ４に接点部１０を設け、上側筐体３に接触導電部２０を設けるとした。しかしながら、上側筐体３に接点部１０を設け、下側筐体２に接触導電部２０を設けてもよい。また、各筐体２，３に固定された部材を介して接点部１０および接触導電部２０を設けてもよい。
【００５６】
さらに、接点部１０および接触導電部２０は、筐体２，３の開放ではなく、筐体２，３の内外に設けられた各種部材またはデバイスの取り外しを検出するように設けてもよい。例えば、上記各実施形態における下側筐体２またはこれに固定された部材に各接触導電部２０を設ける。このとき、ＰＣＢ４が下側筐体２に取り付けられた際に各接触導電部２０の導電部材２２がそれぞれ対応する接点部１０の第１接点１１および第２接点１２に接触するようその位置を調整しておく。このようにすれば、下側筐体２からのＰＣＢ４の取り外しを各スイッチユニットによって検出できる。
【００５７】
第１の実施形態では、図４〜図７を用いて接点部１０の形状を説明した。しかしながら、接点部１０の形状は各図に示したものに限られず、第１接点１１および第２接点１３がより２次元的に混在した形状とすることで、接点部１０の方向依存性をより低減することが可能である。
【００５８】
また、第１接点１１および第２接点１２を合わせた形状や導電部材２２の平面部２２ａは、必ずしも円形でなくてもよく、三角形や四角形等の多角形であってもよいし、楕円形等であってもよい。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
本願の出願当初の特許請求の範囲に記載された発明を以下に付記する。
［１］導電性材料にて平面状に形成された一対の接点と、これら各接点の境界に設けられた絶縁部と、導電性材料にて形成され、前記各接点に接触したときにこれら各接点間を導通させる導電部材と、を備え、前記各接点の境界の一部又は全てが非直線状であることを特徴とするスイッチユニット。
［２］前記各接点及び前記絶縁部を合わせた形状が円形をなし、前記各接点の境界の一部又は全てが非直線状であり、かつ当該境界が前記円形の中心に対して点対称の形状であることを特徴とする上記［１］に記載のスイッチユニット。
［３］前記導電部材は、平面部を有し、この平面部が前記各接点に接触したときにこれら各接点間を導通させ、前記導電部材の平面部の面積が、前記各接点のうちいずれか一方の接点と前記絶縁部とを合わせた面積、及び、当該他方の接点と前記絶縁部とを合わせた面積の双方より大きく、かつ前記各接点及び前記絶縁部を合わせた面積よりも小さいことを特徴とする上記［１］又は［２］に記載のスイッチユニット。
［４］第１部材と、この第１部材に取り付けられる第２部材と、前記第１部材又はこれに固定された部材に設けられ、導電性材料にて平面状に形成された一対の接点と、これら各接点の境界に設けられた絶縁部と、前記第２部材又はこれに固定された部材に設けられ、前記第２部材が前記第１部材に取り付けられたときに前記各接点に接触し、これら各接点間を導通させる導電性材料で形成された導電部材と、を備え、前記各接点の境界の一部又は全てが非直線状であることを特徴とする電子機器。
［５］前記第１部材又はこれに固定された部材には、前記一対の接点が複数設けられ、前記第２部材又はこれに固定された部材には、前記第２部材が前記第１部材に取り付けられたときに、前記各一対の接点のうちの対応する１つに接触する前記導電部材が複数設けられ、前記各一対の接点は、その境界が同一形状であり、かつこれら各一対の接点のうちのいずれか１つに対してその他の全て又は一部が所定角度だけ回転して設けられていることを特徴とする上記［４］に記載の電子機器。
［６］前記第１部材又はこれに固定された部材には、前記一対の接点が複数設けられ、前記第２部材又はこれに固定された部材には、前記第２部材が前記第１部材に取り付けられたときに、前記各一対の接点のうちの対応する１つに接触する前記導電部材が複数設けられ、前記各一対の接点の全て又はその一部同士で前記境界の形状が異なることを特徴とする上記［４］に記載の電子機器。
【符号の説明】
【００６０】
１…カード決済端末、４…ＰＣＢ、１０…接点部、１１…第１接点、１２…第２接点、１３…第３接点、１４…絶縁層、２０…接触導電部、２１…弾性部材、２２…導電部材、３１…検出部、３２…制御部、３３…警報部
【図１】
0005238839.tif 000002
【図２】
0005238839.tif 000003
【図３】
0005238839.tif 000004
【図４】
0005238839.tif 000005
【図５】
0005238839.tif 000006
【図６】
0005238839.tif 000007
【図７】
0005238839.tif 000008
【図８】
0005238839.tif 000009
【図９】
0005238839.tif 000010
【図１０】
0005238839.tif 000011